(57)【要約】【課題】開口率の向上と高い表示品位を両立することの可能なＦＦＳモードの液晶表示装置を提供する。【解決手段】信号線１０３、走査線１０４および共通配線１０５を覆う平坦化膜６を備え、画素電極９１のパターン端縁部は、信号線１０３および走査線１０４の、端縁部の上方に重なるように配置され、また、画素電極９１に形成される開口部であるスリット９１ｓａおよび９１ｓｂは、画素部の中央部を横切るように配置される共通配線１０５の延在方向となる基準線に対して互いに線対称に形成されている。【選択図】図２
2014115563.tif 000002
【特許請求の範囲】
【請求項１】
透明絶縁性基板と、
前記透明絶縁性基板上の表示領域に配置され、互いに交差してマトリックス状をなす信号線および走査線と、
前記走査線と並行するように配置された共通配線と、
前記信号線、前記走査線および前記共通配線を覆う絶縁膜と、
前記走査線および前記信号線により囲まれる画素部において、前記絶縁膜上に上下の位置関係となるように対向配置された下部電極および上部電極と、を有した第１の基板と、
前記第１の基板に対向して配置される第２の基板とを備え、
前記共通配線は、
前記画素部の中央部を横切るように配置され、
前記画素部は、
前記共通配線により第１および第２の領域に区画され、
前記上部電極は、
前記第１の領域においては、スリット状の第１の開口部を有し、
前記第２の領域においては、スリット状の第２の開口部を有し、
前記第１の開口部は、
前記共通配線の延在方向を基準線とした場合、スリットが第１の角度を有するように傾斜して形成され、
前記第２の開口部は、スリットが前記第１の角度とは前記基準線に対して線対称の第２の角度を有するように傾斜して形成され
前記上部電極および前記下部電極は、前記走査線および前記信号線のそれぞれの延在方向に沿った端縁部の上方に重なるように配置されることを特徴とする、液晶表示パネル。
【請求項２】
前記絶縁膜は、少なくとも１μｍ以上の膜厚を有して、前記信号線、前記走査線および前記共通配線の上部の前記第１の基板表面に平坦面を形成する平坦化膜である、請求項１記載の液晶表示パネル。
【請求項３】
前記絶縁膜は、有機樹脂膜またはＳＯＧ（spin on glass）膜を含む、請求項２記載の液晶表示パネル。
【請求項４】
前記第１の開口部は、スリットの両先端部が、前記画素部の対向する２辺を規定する前記信号線の上方にそれぞれ掛かるように形成され、
前記第２の開口部は、スリットの両先端部が、前記画素部の対向する２辺を規定する前記信号線の上方にそれぞれ掛かるように形成される、請求項１〜請求項３の何れか１項に記載の液晶表示パネル。
【請求項５】
前記第２の基板は、
遮光膜を有し、
前記遮光膜は、
前記画素部における前記走査線、前記信号線および前記共通配線の上方に対応する領域において、これらの形成領域より平面方向外側にはみ出すことなく形成される、請求項１〜請求項４の何れか１項に記載の液晶表示パネル。
【請求項６】
前記液晶表示パネルは、
少なくとも前記絶縁膜を貫通して前記共通配線の表面に達する第１のコンタクトホールを備え、
前記第１のコンタクトホールの形成領域とその近傍の領域においては、少なくとも当該第１のコンタクトホールの上部外縁部より外側まで延在する領域に対し、その上方に対応する前記第２の基板の領域において前記遮光膜が形成される、請求項５記載の液晶表示パネル。
【請求項７】
前記液晶表示パネルは、
前記第１の基板と前記第２の基板との間に挟持される液晶層と、
前記液晶層に対して光が入射する側に配置された２軸位相差フィルムと、
前記２軸位相差フィルムより外側に配置された第１の偏光板と、
前記液晶層を挟んで前記第１の偏光板とは反対側に設けられた第２の偏光板と、をさらに備え、
前記液晶層の配向方向は前記共通配線の延在方向と平行な方向に設定され、
前記２軸位相差フィルムの遅相軸は前記液晶層の配向方向と平行な方向または直行する方向に設定され、
前記第１および第２の偏光板の吸収軸は、
一方は、前記液晶層の配向方向と平行な方向、他方は、直交する方向にそれぞれ設定される、請求項１〜請求項６の何れか１項に記載の液晶表示パネル。
【請求項８】
前記画素部は、
前記第１の基板と前記第２の基板との間の基板間距離を保つ柱状スペーサを有し、
前記柱状スペーサは、
前記走査線の形成領域に設けられ少なくとも前記絶縁膜を貫通する第２のコンタクトホールの近傍の前記走査線の上方または前記第２のコンタクトホールの上方に設けられる、請求項１〜請求項７の何れか１項に記載の液晶表示パネル。
【発明の詳細な説明】
【技術分野】
【０００１】
本発明は、液晶表示パネルに関し、特に、フリンジフィールドスッチング（Fringe Field Switching:FFS）方式の液晶表示装置の液晶表示パネルに関する。
【背景技術】
【０００２】
液晶表示装置の表示方式としては、ＴＮ（Twisted Nematic）モードが広く用いられてきた。しかし、昨今では、画素電極と対向電極との間に電圧を印加し、パネルにほぼ水平な電界を発生させ、液晶分子を水平方向で駆動する横電界方式が使用されつつある。横電界方式は、広視野角化に有利であり、何れの視野範囲でも高い表示品位が求められる最近ではＴＮモードに代わり広く用いられるようになってきている。
【０００３】
この横電界方式においては、In Plane SwitchingモードとＦＦＳモードが知られている。特にＦＦＳモードでは、In Plane Switchingモードにおける光の利用効率が悪いという弱点を改良し、液晶を駆動する画素電極および対向電極が何れも透明導電膜で形成され、画素電極および対向電極上におけるほぼ全体の領域において、液晶を駆動し、表示に寄与させることができることから、ＴＮモードと同等以上の高輝度化あるいは低消費電力化を実現できると共に広視野角や高精細化も実現できる。従って、横電界方式により得られる広視野角特性を有したまま高輝度化あるいは低消費電力化を実現できる。
【０００４】
さらに、電極構造がIn Plane Switchingモードと比べて単純であることから、高精細化にも有利な構造となっている。従って、今後有望な製品分野であるスマートフォンやタブレット端末などを代表とした中小型パネルでは、高精細化と高輝度化あるいは低消費電力化が特に要求されることから、このＦＦＳモードの液晶表示装置は当該分野の液晶表示装置の主流になりつつあると言える。
【０００５】
上述したＦＦＳモードの液晶表示装置においては、遮光部となる配線層の形成される領域と、スイッチング素子となる薄膜トランジスタ（ＴＦＴ）の形成される領域を除いて、全て表示に有効な領域として利用でき、理想的な高輝度化あるいは低消費電力化を実現できることが期待されている。しかし、現実的には、画素部内において、液晶が意図しない挙動をする領域が存在し、透明導電膜で形成される画素電極および対向電極の上部まで遮光層などを配置する必要があることや、寄生容量の増加などの制約条件により、配線層に対して、画素電極あるいは対向電極を重ねたり近接配置したりすることが困難である。このため、実質的な有効表示領域が狭くなり（あるいは、画素部における有効表示領域の占める割合、すなわち開口率が低くなり）、理想的な高輝度化あるいは低消費電力化は実現できていない。
【０００６】
以上の問題点を鑑みて、ＦＦＳモードの液晶表示装置において、画素の開口率についてさらなる改善を図る技術が検討されている。例えば、特許文献１では、従来のＦＦＳモードの液晶表示装置において、画素電極にストレージキャパシタンスバスライン（共通配線）を中心に上下対称に配列されるスリットを有してカラーシフト現象を防止させた構成が従来技術として挙げられている。この構成では、画素電極と対向電極のエッジ部分と周囲のゲートバスライン（ゲート配線）とデータバスライン（ソース配線）との間の空間に電界が形成されることによる不要な光漏れの発生を防ぐため、上部基板上のブラックマトリックス（遮光膜）を必要以上に画素部内に形成する必要があり、開口率が低下する。
【０００７】
そこで、ゲートバスラインを画素電極および対向電極の中央部に対応する位置に配置することで、画素電極および対向電極のゲートバスラインを中心として上下方向のエッジ部分をストレージキャパシタンスバスラインと重ね、画素電極と対向電極のエッジ部分での光漏れを防ぎ、画素電極および対向電極の上下方向では、配線外側まで延在するブラックマトリックスを省略できる構成としている。また、ゲートバスラインを中心に線対称に配列されるスリットを有することで、カラーシフト現象の防止効果と画素開口率の改善との両立を図る技術を開示している。
【０００８】
また、特許文献２および特許文献３では、特許文献１と同様に、画素電極あるいは対向電極に線対称にスリットを配列してカラーシフト現象を防止させた構成において、画素電極と対向電極のエッジ部分を周囲のゲート信号線（走査線）およびドレイン信号線（信号線）上まで重ねることで、これらの信号線より漏れる電界による光漏れを防ぎ、画素電極および対向電極の四方において配線外側まで延在するブラックマトリックスを省略できる構成としている。これにより、カラーシフト現象の防止効果と画素開口率のさらなる改善を図る技術を開示している。
【０００９】
しかしながら、特許文献１に開示の液晶表示パネルの場合、画素電極および対向電極の左右方向（ゲートバスラインとは直交する方向）では、依然としてデータバスライン（ソース配線）の近傍において、ブラックマトリックスによる遮光が必要であり、開口率の改善が不十分である。さらに、画素電極および対向電極の上下方向においても、２本の共通配線の配置が必要となり、本来は１行の画素配列に対して１本、あるいは対向電極を一体化することで省略することも可能な共通配線の本数が増加してしまう。また、遮光する機能を持たせるために、共通配線を遮光膜で構成すると、結局は、遮光部の面積が増加することとなる。
【００１０】
また、スリットの端部近傍では、配向異常が発生し、表示品位が低下することが判っており、表示品位を優先してスリットの端部についてもブラックマトリックスで遮光することとなれば、開口率はさらに低下する。以上のことから、特許文献１に開示される液晶表示パネルでは、表示領域の全体としてみれば、開口率の改善にはさして貢献せず表示品位も良くないものと想定される。
【００１１】
また、特許文献２に開示される液晶表示パネルの場合も、スリットの端部近傍で配向異常が発生することによる表示品位の低下が懸念され、表示品位を優先してスリットの端部についてもブラックマトリックスで遮光することとなれば開口率は低下する。
【００１２】
また、線対称に配列される２種類のスリットの境界部分でも、同様に配向異常が発生し表示品位が低下することが知られており、特許文献２および３に開示される液晶表示パネルに共通して、これら２種類のスリットの境界部分において、スリットの端部近傍と同様に表示品位の低下が懸念される。
【００１３】
そのため、２種類のスリットの境界部分においてもブラックマトリックスで遮光することとなれば、開口率のさらなる低下が懸念される。
【００１４】
また、特許文献２および特許文献３に開示される液晶表示パネルに共通する、信号線上に画素電極と対向電極とを重ねた構成は、信号線からの電界漏れ、光漏れを防止することには効果的であるが、信号線からのノイズが画素電極に影響を与えることがあり表示品位が低下する可能性がある。また、これら信号線と画素電極間の寄生容量がある程度以上に大きくなると、画素電極への信号の書き込みが遅くなるなどの不具合が発生する可能性もある。
【００１５】
また、特許文献１において従来のＦＦＳモードの液晶表示装置として挙げられる構成や、特許文献４に開示の液晶表示パネルのように、線対称に配列される２種類のスリットの境界部分に重なるように、ストレージキャパシタンスバスライン（共通配線）を配置すれば、当該２種類のスリットの境界部分に発生する配向異常は視認されなくすることも可能である。しかしながら、ゲート配線近傍では遮光膜が必要となり、開口率は低下する。
【００１６】
さらに、この共通配線の配置により画素電極中央部に形成される基板表面の凹凸によって、当該共通配線の両側に液晶の配向異常が発生することから、共通配線の側面外方にまで延在する幅の広いブラックマトリックスを上部基板に設ける必要がある。このため、結果として、特許文献１において従来のＦＦＳモードの液晶表示装置として挙げられる構成や、特許文献４に記載の液晶表示パネルの構成では、液晶パネル全体としての開口率は大幅に低下する。
【先行技術文献】
【特許文献】
【００１７】
【特許文献１】特開２００３−２１８４５号公報
【特許文献２】特開２００９−２２３２４５号公報
【特許文献３】特開２００７−２９３１５４号公報
【特許文献４】特開２０１０−２１７６３５号公報
【発明の概要】
【発明が解決しようとする課題】
【００１８】
以上説明したように、特許文献１〜４の何れにおいても、ＦＦＳモードの液晶表示装置において、開口率の向上と高い表示品位を両立することは困難であった。
【００１９】
本発明は、上記のような問題点を解消するためになされたものでは、開口率の向上と高い表示品位を両立することの可能なＦＦＳモードの液晶表示装置の液晶表示パネルを提供することを目的とする。
【課題を解決するための手段】
【００２０】
本発明に係る液晶表示パネルは、透明絶縁性基板と、前記透明絶縁性基板上の表示領域に配置され、互いに交差してマトリックス状をなす信号線および走査線と、前記走査線と並行するように配置された共通配線と、前記信号線、前記走査線および前記共通配線を覆う絶縁膜と、前記走査線および前記信号線により囲まれる画素部において、前記絶縁膜上に上下の位置関係となるように対向配置された下部電極および上部電極とを有した第１の基板と、前記第１の基板に対向して配置される第２の基板とを備え、前記共通配線は、前記画素部の中央部を横切るように配置され、前記画素部は、前記共通配線により第１および第２の領域に区画され、前記上部電極は、前記第１の領域においては、スリット状の第１の開口部を有し、前記第２の領域においては、スリット状の第２の開口部を有し、前記第１の開口部は、前記共通配線の延在方向を基準線とした場合、スリットが第１の角度を有するように傾斜して形成され、前記第２の開口部は、スリットが前記第１の角度とは前記基準線に対して線対称の第２の角度を有するように傾斜して形成され、前記上部電極および前記下部電極は、前記走査線および前記信号線のそれぞれの延在方向に沿った端縁部の上方に重なるように配置される。
【発明の効果】
【００２１】
本発明に係る液晶表示パネルによれば、ＦＦＳモードの液晶表示装置において、液晶の配向異常に起因する表示品位の低下する部分を遮光する遮光領域を最小限とすることで高い開口率が得られ、開口率の向上と高い表示品位を両立することが可能となる。
【図面の簡単な説明】
【００２２】
【図１】本発明に係る液晶表示パネルの平面構成を示す平面図である。
【図２】本発明に係る実施の形態１の液晶表示パネルの表示領域に形成される画素部の構成を示す平面図である。
【図３】共通配線の近傍の領域を示す平面図である。
【図４】画素部の部分構成を示す断面図である。
【図５】本発明に係る実施の形態１の液晶表示パネルの画素電極に形成されるスリットの配置を説明する図である。
【図６】本発明に係る実施の形態１の液晶表示パネルのブラックマトリックスの配置を説明する図である。
【図７】共通配線の近傍におけるブラックマトリックスの配置を説明する図である。
【図８】本発明に係る液晶表示パネルにおける光学シートと配向軸との関係を説明する図である。
【図９】本発明に係る実施の形態２の液晶表示パネルの表示領域に形成される画素部の構成を示す平面図である。
【図１０】本発明に係る実施の形態２の液晶表示パネルの画素電極に形成されるスリットの配置を説明する図である。
【図１１】本発明に係る実施の形態２の液晶表示パネルのブラックマトリックスの配置を説明する図である。
【発明を実施するための形態】
【００２３】
＜実施の形態１＞
本発明に係る実施形態として、ＦＦＳ（Fringe Field Switching）モードの液晶表示パネルに本発明を適用した例を説明する。
【００２４】
＜装置構成＞
図１は、本発明に係る液晶表示パネル１０００の平面構成を示す平面図である。なお、図１は模式的なものであり、示された構成要素の正確な大きさなどを反映するものではない。また、煩雑さを避けるため、発明に関連する部分以外は省略し、また一部簡略化などを行っている。
【００２５】
図１に示すように液晶表示パネル１０００は、画像を表示する表示領域１０１と表示領域１０１を囲むように設けられた額縁領域１０２とに大きく分けられる。
【００２６】
表示領域１０１には、複数の信号線１０３と複数の走査線１０４とが互いに直交するように配置されている。また、複数の共通配線１０５が、走査線１０４に平行して配置されている。そして隣接する信号線１０３と走査線１０４に囲まれた領域が１つの画素部を構成するので、表示領域１０１には、複数の画素部がマトリックス状に配列された構成となる。
【００２７】
また、信号線１０３と走査線１０４との交差部には薄膜トランジスタ１０６が配置され、１つの画素に１つの薄膜トランジスタ１０６を備えた構成となっている。
【００２８】
額縁領域１０２には、表示領域１０１の信号線１０３から延在する引き出し配線１１０および走査線１０４から延在する引き出し配線１１１がそれぞれ接続される複数の実装端子１０７と、複数の実装端子１０７にそれぞれ接続される複数の外部接続端子１０７１とが設けられている。また、複数の共通配線１０５は額縁領域１０２において結束され、共通電位が与えられる構成となっている。
【００２９】
実装端子１０７には信号制御のためのＩＣ（集積回路）チップ１０９が接続され、また、外部接続端子１０７１にはＦＰＣ（Flexible Printed Circuit）などの配線基板１０８が接続されている。
【００３０】
図２は、表示領域１０１に形成される画素部の構成を示す平面図である。なお、図２には、薄膜トランジスタ（ＴＦＴ）１０６がマトリックス状に配列されるＴＦＴアレイ基板１００側の構成を示している。
【００３１】
図２に示されるように画素部には画素電極９１と対向電極７１とが上下の関係をなすように配置されており、画素電極９１と対向電極７１との間に電圧を印加し、液晶表示パネルにほぼ水平な電界を発生させ、液晶分子を水平方向に駆動させることによって表示を行っている。
【００３２】
画素電極９１に外部から入力された信号データに基づいた表示電圧を印加させるために、表示電圧の供給を制御する薄膜トランジスタ１０６が画素電極９１および対向電極７１の下方の透明絶縁性基板（図示せず）上に配置されている。
【００３３】
薄膜トランジスタ１０６のゲート電極は走査線１０４に、ソース電極は信号線１０３にそれぞれ接続されている。また、走査線１０４と平行に、画素部の略中央部を横切るように共通配線１０５が配置されている。
【００３４】
さらに、透明絶縁性基板上には保護絶縁膜（図示せず）が設けられ、保護絶縁膜に設けられたコンタクトホール５２を介して画素電極９１がドレイン電極（図示せず）に電気的に接続され、また、保護絶縁膜に設けられたコンタクトホール５２を介して対向電極７１が共通配線１０５に電気的に接続されている。
【００３５】
このような構成において、走査線１０４から制御信号が供給されると薄膜トランジスタ１０６のソース電極側からドレイン電極側に電流が流れる。すなわち、信号線１０３から供給される信号データに基づいた電圧が、画素電極９１に印加されることとなる。
【００３６】
信号線１０３から供給される信号データは、額縁領域１０２（図１）の実装端子１０７に接続されたＩＣチップ１０９や、外部接続端子１０７１に接続された配線基板１０８から与えられ、表示データに応じた電圧がそれぞれ画素電極９１に印加される。
【００３７】
なお、本実施の形態では、ＦＦＳモードの液晶表示パネルの上部電極および下部電極のうち、上部電極を画素電極９１とし下部電極を対向電極７１とし、画素電極９１には、信号データに基づいた電圧により発生する電界が上方に向かうようにスリット状の開口部が設けられる構成を例に採って説明を行うが、下部電極を画素電極９１とし、上部電極を対向電極７１とし、対向電極７１にスリット状の開口部が設けられる構成であっても良い。
【００３８】
このスリット状の開口部と画素電極９１の平面パターンの輪郭部との位置関係が以下に説明する関係となるようにすれば、作用および効果は同じである。
【００３９】
すなわち、図２に示すように、画素部の略中央部を横切る共通配線１０５を中心として、画素部は上下２つの領域に区画され、画素電極９１の共通配線１０５に対して上半分の領域には複数のスリット９１ｓａが設けられ、下半分の領域には複数のスリット９１ｓｂが設けられている。
【００４０】
スリット９１ｓａおよびスリット９１ｓｂは、それぞれの長手方向が異なる方向に延在している。図３には共通配線１０５の近傍の領域を示しており、共通配線１０５の延在方向を基準（０度）とした場合、時計回り方向を正とすると、スリット９１ｓａは角度−θ、スリット９１ｓｂは角度＋θ傾いて配置される。
【００４１】
従って、スリット９１ｓａおよび９１ｓｂは、共通配線１０５に対して、概ね、上下に線対称に配置されることとなる。このような構成を採ることで、液晶表示パネルを表示した際における、視角(パネル面に対する観察方向)による色変化、すなわち、カラーシフト現象の発生を緩和することができる。また、上記作用を得るためには、必ずしも個々のスリット９１ｓａおよび９１ｓｂが全て線対称に配置される必要はない。基準線に対して角度−θ傾いたスリット９１ｓａと角度＋θ傾いたスリット９１ｓｂを有すること、より好ましくは、これら傾斜方向の異なる２種類のスリットの間で本数や長さを概ね等しく設定するなどして、それぞれの長さの和が概ね等しくすることで、スリット９１ｓａ近傍での色変化とスリット９１ｓｂ近傍での色変化を１つの画素部の領域内でキャンセルでき、上記作用を得ることができる。
【００４２】
なお、角度θは４５度未満の比較的低角度に設定され、共通配線１０５（または走査線１０４）の延在方向を基準として、上下に所定角度傾いてスリット９１ｓａおよび９１ｓｂが配置された構成と言える。
【００４３】
次に、画素部の断面構成について図４〜図６を用いて説明する。図４の（ａ）部には、図２におけるＡ−Ａ線での矢視方向の断面図を示し、図４の（ｂ）部には、図２におけるＢ−Ｂ線での矢視方向の断面図を示す。なお、図４の（ａ）部では、ＴＦＴアレイ基板１００の構成のみを示すが、図４の（ｂ）部には、ＴＦＴアレイ基板１００と共に、ＴＦＴアレイ基板１００に対向して配置されるカラーフィルタ基板２００についても示している。
【００４４】
図４の（ａ）部および（ｂ）部に示されるように、表示領域１０１の透明絶縁性基板１０上においては、薄膜トランジスタ１０６が形成される領域にゲート電極１１が形成されると共に、ゲート電極１１から延在する走査線１０４（図２）、走査線１０４と平行配置される共通配線１０５（図１）および共通配線１０５から延在する共通配線パッド１２が形成される。
【００４５】
そして、ゲート電極１１、走査線１０４、共通配線１０５および共通配線パッド１２を覆うようにゲート絶縁膜２が形成される。ゲート絶縁膜２としては、例えばＳｉＮ膜を用いる。ゲート電極１１上の領域にはゲート絶縁膜２と接するように形成され、島化した半導体膜３１が形成される。
【００４６】
半導体膜３１は、アモルファスシリコン、微結晶シリコンおよび多結晶シリコンの何れか、あるいはこれらを複数組み合わせて積層したシリコン半導体膜、または酸化物半導体膜で構成されている。
【００４７】
半導体膜３１は、チャネル領域を間に挟んでソース領域およびドレイン領域に分けられ、ソース領域およびドレイン領域上のそれぞれにはソース電極４１およびドレイン電極４２が形成されている。
【００４８】
このように、薄膜トランジスタ１０６は、ゲート電極１１、半導体膜３１、ソース電極４１およびドレイン電極４２で構成されている。
【００４９】
また、ゲート絶縁膜２上にはソース電極４１およびドレイン電極４２と同じ材質の金属膜で構成される信号線１０３（図２）が形成されている。そして薄膜トランジスタ１０６上および信号線１０３上を全体的に覆うように保護絶縁膜５が形成されている。
【００５０】
保護絶縁膜５は無機絶縁膜とし、ＳｉＮ膜の単層膜もしくは多層膜（例えばＳｉＯ膜とＳｉＮ膜との多層膜）であっても良い。
【００５１】
そして、保護絶縁膜５の上に平坦化膜６を形成する。保護絶縁膜５を構成するＳｉＮ膜は、平坦化膜６などからの水分などにより薄膜トランジスタ１０６の特性が劣化することを防止する。平坦化膜６は、信号線１０３、走査線１０４および共通配線１０５上を覆い形成され、これら配線層自体の厚みによって形成される凹凸形状を平坦化し、当該信号線１０３、走査線１０４および共通配線１０５の上部のＴＦＴアレイ基板１００表面に平坦面を形成する。
【００５２】
また、平坦化膜６はアクリルを主体とした有機樹脂膜あるいはＳＯＧ（spin on glass）膜とする。その理由は、本実施の形態においては、対向電極７１および画素電極９１のうち下層側となる方について、平坦化膜６を間に介して走査線１０４および信号線１０３と平面的に重なりを有するように配置しているからである。
【００５３】
このような構成とした場合、信号線１０３からのノイズが画素電極９１へ影響を与えることがあり表示品位を低下させる可能性がある。また、走査線１０４や信号線１０３と画素電極９１間の寄生容量がある程度以上に大きくなると、画素電極９１への信号の書き込みが遅くなることなどの不具合が発生する。
【００５４】
従って、走査線１０４や信号線１０３と対向電極７１との間、および画素電極９１との間の寄生容量を決定する平坦化膜６については、少なくとも１μｍ以上の膜厚とすることで寄生容量を低減できる。そのためには塗布形成できる材料が望ましく、誘電率εに関しても低い方が望ましい。
【００５５】
アクリル樹脂やＳＯＧ膜の誘電率εは３〜４程度とＳｉＮ膜の６〜７より低く、寄生容量を小さくするのに有利である。また、アクリル樹脂は、透明性が高く、安価であり、有機溶剤に溶かすことで塗布膜として使用できるので扱い易く、比較的低温で焼成できるという特性を有している。
【００５６】
なお、ＣＶＤ法やスパッタリング法等で形成されたＳｉＯ２膜もＳＯＧ膜と同様の誘電率εを有しているが、１μｍ以上の膜厚を得ることが難しく、また、ＳｉＮ膜と同様に平坦化することが難しいという特性がある。
【００５７】
平坦面となった平坦化膜６上にはＩＴＯ（Indium Tin Oxide）やＩＺＯ（Indium Zinc Oxide）などの第１の透明導電膜で構成される対向電極７１が形成され、対向電極７１を覆うように平坦化膜６上には層間絶縁膜８が形成されている。そして、層間絶縁膜８上にはＩＴＯやＩＺＯなどの第２の透明導電膜で構成される画素電極９１が形成されている。
【００５８】
そして、図４の（ａ）部に示されるように、ドレイン電極４２上の保護絶縁膜５を貫通してドレイン電極４２に達するようにコンタクトホール５０が形成されていると共に、図４の（ｂ）部に示されるように、共通配線パッド１２上のゲート絶縁膜２および保護絶縁膜５を貫通するようにコンタクトホール５１が形成されている。
【００５９】
これらのコンタクトホール５０および５１を介して、ＩＴＯやＩＺＯなどの透明導電膜で構成される対向電極７１および画素電極９１が、ドレイン電極４２および共通配線パッド１２にそれぞれ接続されている。
【００６０】
また、対向電極７１と画素電極９１との間には層間絶縁膜８が形成され、双方の電極間の絶縁を保つと共に、画素電極９１での電荷保持に寄与する蓄積容量が形成される。
【００６１】
図４の（ａ）部および図４の（ｂ）部にそれぞれ示されるように、ドレイン電極４２および共通配線パッド１２などの金属膜と平坦化膜６とが直接に接触することがないように、保護絶縁膜５上の平坦化膜６にコンタクトホール５２を形成し、コンタクトホール５０および５１と連通する構成としている。
【００６２】
すなわち、図４の（ｂ）部に示されるように、対向電極７１は、対向電極７１から延在する透明導電膜７２とコンタクトホール５２および５１を介して共通配線パッド１２に電気的に接続されている。すなわち、対向電極７１から延在する透明導電膜７２はコンタクトホール５２および５１の内壁側面を覆うと共にコンタクトホール５１の底面部に露出する共通配線パッド１２の表面を覆うことで、共通配線パッド１２と対向電極７１とが電気的に接続されることになる。
【００６３】
さらに対向電極７１は、コンタクトホール５２の上方に形成された層間絶縁膜８のコンタクトホール８２を介して画素電極９１と同じ材料で、同じ層として形成された透明導電膜９３とも電気的に接続されている。すなわち、コンタクトホール５１および５２の内面を覆う透明導電膜７２上をさらに透明導電膜９３が覆う構成となっており、コンタクトホール５１および５２の内壁側面およびコンタクトホール５１の底部は透明導電膜７２と透明導電膜９３との積層膜で覆われている。
【００６４】
なお、透明導電膜９３は画素電極９１とは電気的に独立しているので、両者が電気的に接続されることはない。
【００６５】
また、図４の（ａ）部に示されるように、コンタクトホール５０および５２の内壁側面を覆うと共に、コンタクトホール５０の底面部に露出するドレイン電極４２の表面を覆うように、対向電極７１と同じ材料で、同じ層として透明導電膜７３が形成されている。
【００６６】
なお、透明導電膜７３は対向電極７１とは電気的に独立しているので、両者が電気的に接続されることはない。
【００６７】
そして、画素電極９１は、コンタクトホール５２の上方に形成された層間絶縁膜８のコンタクトホール８１を介して、コンタクトホール５０および５２の内面を覆う透明導電膜７３と電気的に接続されることで、ドレイン電極４２と電気的に接続される構成となっている。すなわち、画素電極９１から延在する透明導電膜９２は、コンタクトホール８１の内壁側面を覆うと共に、コンタクトホール５０および５２の内面を覆う透明導電膜７３上をさらに覆う構成となっており、コンタクトホール５０および５２の内壁側面およびコンタクトホール５０の底部は透明導電膜７３と透明導電膜９２との積層膜で覆われている。
【００６８】
このような構成を採ることで、平坦化膜６の水分によってドレイン電極４２および共通配線パッド１２を構成する金属膜の腐食を防止することができる。
【００６９】
次に、画素開口率に直接影響する遮光膜の配置について説明する。図４の（ｂ）部に示すように、ＴＦＴアレイ基板１００に対して液晶層ＬＣを介してカラーフィルタ基板２００が対向配置されるが、カラーフィルタ基板２００にはカラーフィルタＣＦ間に遮光膜であるブラックマトリックスＢＭが配置されている。このブラックマトリックスＢＭの配置状態により画素開口率が影響を受ける。なお、図示は省略しているが、表示領域１０１におけるＴＦＴアレイ基板１００およびカラーフィルタ基板２００の液晶層ＬＣと接するそれぞれの基板の最表面には、液晶の配向を制御する配向膜が形成されており、この配向膜の表面にはラビング処理や光配向処理などによる所定方向の配向処理が行われている。具体的な配向処理の方向としては、液晶の初期配向を設定したい方向、すなわち、図２において矢印で示す方向に行うと良い。
【００７０】
まず、信号線１０３（図２）の近傍におけるブラックマトリックスＢＭの配置について説明する。信号線１０３の近傍では、表示に直接影響する液晶の駆動に関係する画素電極９１と、画素電極９１に形成されるスリットの配置が問題となる。これらの配置について、図５および図６を用いて説明する。
【００７１】
図５の（ａ）部には、図２に示されるＣ−Ｃ線での矢視方向の断面図を示し、ＴＦＴアレイ基板１００、液晶層ＬＣおよびカラーフィルタ基板２００の配置を示している。また、図６は、図２に示すＴＦＴアレイ基板１００に対して、対向配置されるカラーフィルタ基板２００に設けられるブラックマトリックスＢＭによる遮光領域を重ね合わせて示した図である。
【００７２】
図５の（ａ）部に示すように、実施の形態１の液晶表示パネルにおいては、ＴＦＴアレイ基板１００に対して、液晶層ＬＣを介してカラーフィルタ基板２００が対向配置されるが、図２において破線で示されるように対向電極７１の形成位置は、表示領域において、各画素に配置される薄膜トランジスタ１０６が形成される領域の上部のみが開口部となっている。
【００７３】
換言すれば、薄膜トランジスタ１０６が形成される領域を除く、表示領域の全体を対向電極７１が覆うように形成されている。従って、信号線１０３に対しては、対向電極７１は、信号線１０３の上部も含めて、互いに隣接する画素間に跨って形成されていることになる。
【００７４】
また、図５の（ａ）部に示すように、画素電極９１は、信号線１０３に対して、信号線１０３の上方に重なるように配置されている。すなわち、画素電極９１のパターン端縁部は、画素電極９１間に配置される信号線１０３の、片側の端縁部の上方に重なるように配置されている。なお、図示はされないが、信号線１０３の、もう一方の片側の端縁部の上方は、隣接する画素電極９１のパターン端縁部に覆われている。
【００７５】
また、画素電極９１に形成される開口部であるスリット９１ｓａおよび９１ｓｂは、スリットの一方の先端部が、隣接する信号線１０３の上方に掛かるように形成されている。また、図示はされないが、当該スリットの他方の先端部も、隣接する信号線１０３の上方に掛かるように形成されている。
【００７６】
すなわち、画素電極９１の長辺側に配置され、画素電極９１を挟むように配置される２本の信号線１０３の上部間に渡るようにスリット９１ｓａおよびスリット９１ｓｂが形成されている。
【００７７】
なお、図５の（ｂ）部には、図２に示されるＣ−Ｃ線に該当する領域の拡大平面図を示しており、図５の（ａ）部に示す断面図は、２種類のスリット状の開口部であるスリット９１ｓａおよび９１ｓｂのうち、スリット９１ｓａが形成された領域での断面図であるが、スリット９１ｓｂが形成された領域でも、図面上での上下が反転された構成となるだけで、スリット９１ｓａと同様にスリットの先端部が、信号線１０３の上方に掛かるように形成されている。
【００７８】
また、図５の（ａ）部および図６に示すように、カラーフィルタ基板２００に設けられるブラックマトリックスＢＭは、信号線１０３の配置領域に重なる部分に配置され、信号線１０３の配置領域より平面方向外側にはみ出すことなく設けられている。なお、信号線１０３の近傍においては、遮光膜としても機能する信号線１０３によって、開口部であるスリット９１ｓａおよび９１ｓｂの先端部の近傍が遮光されることとなる。
【００７９】
すなわち、スリット９１ｓａおよび９１ｓｂの先端部近傍で発生し易い配向異常に起因する表示品位の低下する部分が、信号線１０３によって遮光されていること、さらに、信号線１０３の両側端縁部の上方が、画素電極９１により覆われることから、信号線１０３より電界が漏れることに起因して発生する光漏れも生じない。
【００８０】
従って、信号線１０３の両側端縁部には、遮光が必要な領域は形成されないことから、図５の（ａ）部に示すように、ブラックマトリックスＢＭは、信号線１０３の配置領域より平面方向外側にはみ出して設ける必要はない。
【００８１】
なお、信号線１０３は遮光膜としても機能するので、信号線１０３と重なる部分に配置されるブラックマトリックスＢＭについては、配置を省略することも可能である。
【００８２】
次に、共通配線１０５（図２）の近傍におけるブラックマトリックスＢＭの配置について、図４の（ｂ）部、図６および図７を用いて説明する。
【００８３】
まず、図４の（ｂ）部に示すように、共通配線１０５から延在する共通配線パッド１２の上部に形成されるコンタクトホール５２および８２を含む領域に関して説明を行う。図４の（ｂ）部に示されるように、平坦化膜６に形成されるコンタクトホール５２の側壁は、通常、比較的緩い傾斜面となっており、上部開口部は比較的大きな面積となっている。また、平坦化膜６の厚みが比較的厚いことから、コンタクトホール５２の深さも深く、コンタクトホール５２を設けることで、平坦化膜６の表面には比較的大きな表面凹凸部が形成されることとなる。このような表面凹凸部では、液晶の配向異常が発生することとなり、さらに、コンタクトホール８２の形成部においては、平面方向に比較的広い領域で、液晶の配向異常が発生し、表示に影響を及ぼすこととなる。
【００８４】
従って、実施の形態１の液晶表示パネルでは、図４の（ｂ）部に示すように、コンタクトホール５２の上方全域を覆い遮光できるように、少なくともコンタクトホール５２の上部外縁部より外側まで延在するようにブラックマトリックスＢＭが設けられる。
【００８５】
なお、ＴＦＴアレイ基板１００とカラーフィルタ基板２００との重ね合わせずれや、コンタクトホール５２により形成される表面凹凸部の周囲まで、配向異常領域が拡がった場合に対処できるように、コンタクトホール５２の上部外縁部より所定距離外側の領域まで覆うようにブラックマトリックスＢＭを形成することが望ましく、例えば、図６に示されるように、コンタクトホール８２および５２が形成される領域とその近傍の領域では画素電極９１は形成されず、当該領域はブラックマトリックスＢＭで覆われることが望ましい。
【００８６】
なお、遮光膜としても機能する共通配線１０５から延在する共通配線パッド１２を、コンタクトホール５２の上部外縁部より外側まで及ぶ広さに形成して、当該コンタクトホール５２による表面凹凸部により形成される液晶の配向異常を遮光する構成としても良い。
【００８７】
この場合には、コンタクトホール５２の上方のブラックマトリックスＢＭを省略することも可能であり、また、ＴＦＴアレイ基板１００とカラーフィルタ基板２００との重ね合わせずれを考慮しなくとも良いことから、ブラックマトリックスＢＭにより遮光する場合よりは少ない遮光領域とすることもできる。
【００８８】
なお、上記では、コンタクトホール５２の表面凹凸部により形成される液晶の配向異常による影響の方が大きいことから説明を省略したが、コンタクトホール５２および共通配線１０５から延在する共通配線パッド１２の形成領域は、傾斜方向の異なる２種類のスリット９１ｓａおよび９１ｓｂの境界部分となり、配向異常が発生する部分にも一致している。しかしながら、当該境界部分には、遮光膜としても機能する共通配線１０５から延在する共通配線パッド１２が形成されており、さらにブラックマトリックスＢＭによっても遮光されることから、スリット９１ｓａおよび９１ｓｂの境界部分に発生する配向異常の領域も支障なく遮光されることとなる。
【００８９】
次に、図２に示されるＤ−Ｄ線での矢視方向の断面図を示す図７を用いて、コンタクトホール５２および８２の形成領域以外の共通配線１０５の配置領域に関して説明を行う。この領域は、先に説明したように、傾斜方向の異なる２種類のスリット９１ｓａおよび９１ｓｂの境界部分となり、配向異常が発生する部分にも一致している。
【００９０】
しかしながら、当該境界部分には、遮光膜としても機能する共通配線１０５が形成されていることから、当該境界部分に発生する配向異常部分を遮光することができる。また、共通配線１０５自体の厚みによって、ＴＦＴアレイ基板１００に凹凸が形成された場合には、共通配線１０５の両側にも配向異常領域が発生することから、カラーフィルタ基板２００上に形成したブラックマトリックスＢＭにより遮光する必要がある。
【００９１】
しかし、図７に示されるように、共通配線１０５自体の厚みによって形成される凹凸形状は、平坦化膜６によって、共通配線１０５上部のＴＦＴアレイ基板１００表面に平坦面が形成されることにより、ＴＦＴアレイ基板１００の最表面には及んではおらず、共通配線１０５両側での配向異常領域は発生しない。
【００９２】
従って、コンタクトホール５２および８２の形成領域以外の共通配線１０５の配置領域においては、遮光膜としても機能する共通配線１０５による遮光のみで充分であり、カラーフィルタ基板２００上の対応する領域にブラックマトリックスＢＭを形成する必要はなく、図６および図７に示すように省略することができる。
【００９３】
なお、図６および図７に示されるように完全に省略しなくとも、信号線１０３や走査線１０４の形成領域と同様に、共通配線１０５と重なる領域のみにブラックマトリックスＢＭを配置し、共通配線１０５の形成領域より、平面方向外側にはみ出すことのないように設けても良い。この構成であれば、開口率が大きく変わることはない。ただし、共通配線１０５を細く形成した場合、例えばＴＦＴアレイ基板１００とカラーフィルタ基板２００との重ね合わせ精度と同程度の配線幅とするような場合には、重ね合わせ精度の影響により実質的な開口率の低下を招く可能性もあるので、ブラックマトリックスＢＭは形成しないことが望ましい。
【００９４】
以上説明したように、実施の形態１の液晶表示パネルにおいては、図６に示されるように、表示領域において、信号線１０３の形成領域の外側、走査線１０４の形成領域の外側にはブラックマトリックスＢＭは形成されておらず、また共通配線１０５上においてもコンタクトホール５２および８２の形成領域とその近傍の領域以外においてはブラックマトリックスＢＭは形成されていない。従って、必要最小限の配線領域とコンタクトホール形成領域を遮光領域としただけの、理想的な高開口率を有する画素部が得られる。
【００９５】
なお、図６に示すように、ＴＦＴアレイ基板１００とカラーフィルタ基板２００との間の基板間距離を所定距離に保つため、柱状スペーサＰＳを画素部に配置するが、図６においては走査線１０４上に柱状スペーサＰＳを設けた構成を示している。
【００９６】
この柱状スペーサＰＳの近傍も柱状スペーサＰＳの凹凸によって、液晶の配向異常が発生する可能性があることから、遮光が必要となる。また、遮光膜としても機能する走査線１０４上の、平坦化膜６に設けたコンタクトホール５２の近傍にも液晶の配向異常が発生する可能性があることから、同様に遮光が必要となる。
【００９７】
このため、柱状スペーサＰＳの配置位置を平坦化膜６のコンタクトホール５２の近傍とするか、あるいはコンタクトホール５２および８１上に重ねて（一致させて）配置した上で、遮光領域とすれば、画素全体の遮光領域を減らすことができてより望ましい構成となる。同様の観点から、柱状スペーサＰＳの形成位置を共通配線１０５上のコンタクトホール５２および８２の位置に重ねて配置しても、同様の効果が得られる。
【００９８】
最後に、実施の形態１の液晶表示パネルにおける光学シートと配向軸との関係について、図８を用いて説明する。液晶の配向方向は、図２において矢印で示されるように、共通配線１０５の延在方向あるいは走査線１０４の延在方向に平行な方向に設定される。
【００９９】
例えば、ＴＦＴアレイ基板１００およびカラーフィルタ基板２００の表面にラビング処理などの配向処理を実施することで液晶の初期配向を設定する場合には、図２において矢印で示す方向にラビング処理を実行する。この結果、液晶の配向方向は０°となる。
【０１００】
この場合、図８に示すように液晶層ＬＣの下方であって矢印で示す光入射側に２軸位相差フィルム３０４を配置する。２軸位相差フィルム３０４は、Ｘ、Ｙ、Ｚ方向全てで屈折率が異なるフィルムであり、ＦＦＳモードの視野角特性を改善するために使われる。なお、図８では、光が進むのが遅い遅相軸はＸ方向に平行な軸として示しているが、遅相軸はＹ方向に平行な軸であっても良い。
【０１０１】
また、２軸位相差フィルム３０４の下方には偏光板保護フィルム（光学等方性フィルム）３０５を配置し、その下の偏光板３０２を保護している。
【０１０２】
また、２軸位相差フィルム３０４の上方には偏光板保護フィルム（光学等方性フィルム）３０３を配置し、その上の偏光板３０１を保護している。
【０１０３】
なお、偏光板３０１は吸収軸がＸ方向に平行な軸であり、偏光板３０２は吸収軸がＹ方向に平行な軸であり、偏光板３０１と３０２とで吸収軸が直交する関係にある。
【０１０４】
このように、２軸位相差フィルム３０４を、液晶層ＬＣの下方であって光入射側に配置することで、液晶層ＬＣの乱れ状態の影響を受けることなく所望の光学補償効果を得ることができる。従って、上述したスリット９１ｓａとスリット９１ｓｂとの境界領域、スリット９１ｓａおよび９１ｓｂの両先端部近傍およびコンタクトホールの表面凹凸部近傍などの配向異常が発生する領域において、表示特性への影響を緩和することができ、これらの領域において必要な遮光領域(ブラックマトリックス、配線層(共通配線、ゲート配線、ソース配線))の面積を最小限とすることが可能となる。
【０１０５】
逆に、２軸位相差フィルムを光入射側ではなく、表示面側に配置した場合には、光源からの光が液晶層を先に透過することとなり、配向異常領域での液晶による散乱などによって偏光解消が発生し、２軸位相差フィルムを通る際には、すでに直線偏光が乱れているため、所望の光学補償効果を得ることができない、すなわち、配向異常が軽度な領域でも光学補償効果の点で表示特性に影響を生ずることとなる。
【０１０６】
このように、２軸位相差フィルム３０４を、液晶層ＬＣの下方であって光入射側に配置することは、従来の液晶表示パネルでは光学設計上の理由により選択されることはなかった。すなわち、従来の構造で高開口率を目指した場合、液晶配向方向が９０°（垂直方向）に設定されることが必要となる。この場合は、光学設計上、２軸位相差フィルムを光の入射側に配置すると、上側の偏光板の吸収軸を９０°にすることが必要となり、偏光サングラスをかけると、表示が見えなくなる(全面黒に表示される)という問題があった。一方、２軸位相差フィルムの視野角改善作用自体は液晶表示パネルの表示面側に配置しても得られるので、従来の構造では、２軸位相差フィルムは液晶パネルの表示面側に配置されていた。
【０１０７】
しかし、本発明に係る液晶表示パネルにおいては、液晶の配向方向を０°(水平方向)に設定しても、高開口率を達成できるので、光学設計上、２軸位相差フィルム３０４を、液晶層ＬＣの下方であって光入射側に配置し、かつ表示面側の偏光板３０１の吸収軸の角度を０°（水平方向）にすることができるようになった。
【０１０８】
この結果、偏光サングラスに対する視認性の確保と、高開口率化および広い視野角特性を満たした液晶表示パネルおよびそれを備えた液晶表示装置を得ることができることとなった。
【０１０９】
以上説明したように、実施の形態１に係る液晶表示パネルによれば、ＦＦＳモードの液晶表示装置において、遮光領域を最小限とすることで高い開口率が得られると共に、信号線の近傍や傾斜方向の異なる２種類のスリット状の開口部の境界部分などの配向異常の発生領域が適切に遮光されるので、視認されることが防止され、高い表示品位を両立することが可能となる。
【０１１０】
なお、高い開口率とすることは液晶表示装置の省電力化にもつながる。また、先に説明したように、画素電極９１に対して対向電極７１が上層に配置され、対向電極７１にスリット状の開口部が設けられた構成であっても同様の作用および効果を得ることができることは言うまでもない。
【０１１１】
＜実施の形態２＞
次に、図９〜図１１を用いて本発明に係る実施の形態２の液晶表示パネルの構成について説明する。なお、以下においては図１〜図８を用いて説明した実施の形態１と同一の構成については同一の符号を付し、重複する説明は省略する。
【０１１２】
図９は、表示領域１０１（図１）に形成される画素部の構成を示す平面図であり、薄膜トランジスタ（ＴＦＴ）１０６がマトリックス状に配列されるＴＦＴアレイ基板１００Ａ側の構成を示している。なお、液晶表示パネルの全体構成は図１に示した液晶表示パネル１０００と同じである。
【０１１３】
図１０の（ａ）部には、図９におけるＥ−Ｅ線での矢視方向の断面図を示し、ＴＦＴアレイ基板１００Ａ、ＴＦＴアレイ基板１００Ａに対向して配置されるカラーフィルタ基板２００Ａおよびそれらの間の液晶層ＬＣの断面図を示している。また、図１０の（ｂ）部には、図９に示されるＥ−Ｅ線に該当する領域の拡大平面図を示している。
【０１１４】
また、図１１は、図９に示すＴＦＴアレイ基板１００Ａに対して、対向配置されるカラーフィルタ基板２００Ａに設けられるブラックマトリックスＢＭによる遮光領域を重ね合わせて示した図である。
【０１１５】
図１０の（ａ）部に示すように、実施の形態２のＴＦＴアレイ基板１００Ａは、図５の（ａ）部に示す実施の形態１のＴＦＴアレイ基板１００と比較して、信号線１０３の近傍において、対向電極７１は、信号線１０３上も含めて、隣接する画素間に跨って形成されている点、画素電極９１は、信号線１０３の上方に重なるように配置されている点、すなわち、画素電極９１のパターン端縁部は、画素電極９１間に配置される信号線１０３の、片側の端縁部の上方に重なるように配置されている点ではＴＦＴアレイ基板１００と同じである。
【０１１６】
しかし、図１０の（ａ）部に示すように、画素電極９１に形成される開口部であるスリット９１ｓａおよび９１ｓｂは、スリットの一方の先端部は、隣接する信号線１０３の上方には掛からず、信号線１０３の端縁部外方にまでしか達していない。また、図示はされないが、当該スリットの他方の先端部も、隣接する信号線１０３の上方には掛からないように形成されている。
【０１１７】
すなわち、画素電極９１の長辺側に配置され、画素電極９１を挟むように配置される２本の信号線１０３の間に渡るようにスリット９１ｓａおよびスリット９１ｓｂが形成されている。
【０１１８】
なお、図１０の（ｂ）部には、図９に示されるＥ−Ｅ線に該当する領域の拡大平面図を示しており、図１０の（ａ）部に示す断面図は、２種類のスリット状の開口部であるスリット９１ｓａおよび９１ｓｂのうち、スリット９１ｓａが形成された領域での断面図であるが、スリット９１ｓｂが形成された領域でも、図面上での上下が反転された構成となるだけで、スリット９１ｓａと同様にスリットの先端部は、信号線１０３の上方に掛からないように形成されている。
【０１１９】
このように、実施の形態２の液晶表示パネルにおいては、スリット９１ｓａおよび９１ｓｂの先端部近傍の液晶の配向異常が発生する可能性のある部分が、実施の形態１のように遮光膜としても機能する信号線１０３により遮光されない構成となっている。
【０１２０】
従って、本実施の形態２液晶表示パネルにおいては、図１０の（ａ）部に示すように、カラーフィルタ基板２００Ａに設けたブラックマトリックスＢＭを、信号線１０３の両端縁部外側まで延在するように配置することで、スリット９１ｓａおよび９１ｓｂの先端部近傍での配向異常により表示品位が低下することを防止している。
【０１２１】
この結果、図１１示すように、カラーフィルタ基板２００Ａに設けられるブラックマトリックスＢＭは、信号線１０３の配置領域より平面方向外側にはみ出すように設けられることとなる。
【０１２２】
以上説明したように、実施の形態２の液晶表示パネルにおいては、スリット９１ｓａおよび９１ｓｂ端縁部近傍での配向異常の領域をブラックマトリックスＢＭにより遮光する分だけ、開口率は低下するものの、信号線１０３の端縁部を覆うように画素電極９１が配置されているので、信号線１０３から漏れる電界による光漏れを防止でき、ブラックマトリックスＢＭを信号線１０３の両端縁部外側まで延在させる領域は、従来の液晶表示パネルに比べると小さくて良い。
【０１２３】
極端に言えば、図１０の（ｂ）部に示すような均等な幅のブラックマトリックスＢＭを信号線１０３に沿って形成せずとも、スリット９１ｓａおよび９１ｓｂの先端部のみを覆うような輪郭形状となるようにブラックマトリックスＢＭを形成しても良い。この場合には、実施の形態１の液晶表示パネルで得られる開口率に近づけることも可能である。
【０１２４】
なお、実施の形態２に係る液晶表示パネルにおいても、実施の形態１に係る液晶表示パネルと同様に、ＦＦＳモードの液晶表示装置において、信号線の近傍や傾斜方向の異なる２種類のスリット状の開口部の境界部分などの配向異常の発生領域が適切に遮光されるので、視認されることが防止され、高い表示品位を両立することが可能となる。
【０１２５】
また、画素電極９１に対して対向電極７１が上層に配置され、対向電極７１にスリット状の開口部が設けられた構成であっても同様の作用および効果を得ることができることは言うまでもない。
【０１２６】
なお、本発明は、その発明の範囲内において、実施の形態を適宜、変形、省略することが可能である。
【符号の説明】
【０１２７】
５２，８１，８２  コンタクトホール、７１  対向電極、９１  画素電極、９１ｓａ，９１ｓｂ  スリット、１０３  信号線、１０４  走査線、１０５  共通配線、１０６  薄膜トランジスタ。
【図１】
2014115563.tif 000003
【図２】
2014115563.tif 000004
【図３】
2014115563.tif 000005
【図４】
2014115563.tif 000006
【図５】
2014115563.tif 000007
【図６】
2014115563.tif 000008
【図７】
2014115563.tif 000009
【図８】
2014115563.tif 000010
【図９】
2014115563.tif 000011
【図１０】
2014115563.tif 000012
【図１１】
2014115563.tif 000013